(57)【特許請求の範囲】
【請求項１】
リード線を透通させる入口と出口となる開口縁部を備える透通孔であって、上記２つの開口縁部を端部とする壁板により囲繞された透通孔を有する筐体と、
前記透通孔の内壁に設けられ、前記リード線を通過させる孔を有するリブと、
を具備し、
前記２つの開口縁部の孔口と前記リブの孔が、前記リード線が前記透通孔内を移動する際に摩擦を与える摩擦付与手段として機能し、
前記透通孔の内壁が「く」の字またはＶ字に屈曲されて形成されており、前記リード線が前記透通孔内を移動する際に摩擦を与える摩擦付与手段として機能するリード線整列器具。
【請求項２】
透通孔は、筐体に少なくとも２つ以上設けられている請求項１に記載のリード線整列器具。
【請求項３】
透通孔は、筐体に３つ設けられており、
内壁が屈曲され、「く」の字またはＶ字に形成された中央の透通孔と、
前記中央の透通孔の両側に隣接して設けられ、内壁が真っ直ぐに形成された２つの透通孔と、
を具備する請求項１に記載のリード線整列器具。
【請求項４】
透通孔は、筐体に３つ設けられており、
内壁が真っ直ぐに形成された中央の透通孔と、
前記中央の透通孔の両側に隣接して設けられ、透通孔の内壁が屈曲された２つの透通孔と
を具備する請求項１に記載のリード線整列器具。
【発明の詳細な説明】
【技術分野】
【０００１】
本発明は、心電計等の医療機器に用いられるリード線を整列させるために用いることが可能なリード線整列器具に関するものである。
【背景技術】
【０００２】
従来のこの種の器具としては、基部を中心として一本の把持部が折り畳まれて上下二本に形成された形状を有し、この二本の把持部間にリード線を弾性把持して固定するコードクリッパが知られている。また、弾性材料により形成された筒状体であって、その長手方向にスリットが形成されており、このスリットを介して筒状体内にリード線を出し入れでき、リード線を筒状体内に包まれた状態で保持するコードクリッパが知られている。
【０００３】
更に、筒状体の一方の穴は、三本のケーブルを揃えた結束状態とする単穴により形成され、筒状体の他方の穴は、三本のケーブルを独立させた解束状態とする三穴により形成され、筒状体を三本のケーブルの長手方向に摺動可能として器具が知られている（特許文献１参照）。
【先行技術文献】
【特許文献】
【０００４】
【特許文献１】特開２００８−１５４９７３号公報
【発明の概要】
【発明が解決しようとする課題】
【０００５】
しかしながら、上記特許文献１に記載の器具は、ケーブルと筒状体の器具が密着状態となりやすく、容易に摺動を行うことができ難く、特に、ケーブルが細い場合には、筒状体が小さくなり扱い難いものであった。
【０００６】
本発明は、上記のような従来のリード線整列器具における現状に鑑みてなされたもので、その目的は、リード線が絡まったような場合や、リード線から電極などの端部位までの距離を調整する際に、扱いが容易であり、また密着状態となることがなく、適切にリード線の整列を行うことが可能なリード線整列器具を提供することである。
【課題を解決するための手段】
【０００７】
本発明に係るリード線整列器具は、リード線を透通させる入口と出口となる開口縁部を備える透通孔であって、上記２つの開口縁部を端部とする壁板により囲繞された透通孔を有する筐体と、前記透通孔の内壁に設けられ、前記リード線を通過させる孔を有するリブと、を具備し、前記２つの開口縁部の孔口と前記リブの孔が、前記リード線が前記透通孔内を移動する際に摩擦を与える摩擦付与手段として機能し、前記透通孔の内壁が「く」の字またはＶ字に屈曲されて形成されており、前記リード線が前記透通孔内を移動する際に摩擦を与える摩擦付与手段として機能する。
【０００９】
本発明に係るリード線整列器具では、透通孔は、筐体に少なくとも２つ以上設けられている。
【００１０】
本発明に係るリード線整列器具では、透通孔は、筐体に３つ設けられており、内壁が屈曲され、「く」の字またはＶ字に形成された中央の透通孔と、前記中央の透通孔の両側に隣接して設けられ、内壁が真っ直ぐに形成された２つの透通孔と、を具備する。本発明に係るリード線整列器具では、透通孔は、筐体に３つ設けられており、内壁が真っ直ぐに形成された中央の透通孔と、前記中央の透通孔の両側に隣接して設けられ、透通孔の内壁が屈曲された２つの透通孔とを具備する。
【発明の効果】
【００１１】
本発明に係るリード線整列器具は、リード線が透通孔内を移動する際に透通孔の少なくとも一部において摩擦を与える摩擦付与手段を備え筐体であるため、扱いが容易であり、また密着状態となることがなく、適切にリード線の整列を行うことが可能である。また、透通孔は、筐体に複数条設けられているため、リード線が絡まったような場合や、リード線から電極などの端部位までの距離を調整する際に好適であり、適切にリード線を整列させることができる。
【図面の簡単な説明】
【００１２】
【図１】本発明に係るリード線整列器具の第１の実施形態を示す組み立て斜視図。
【図２】本発明に係るリード線整列器具の第１の実施形態を示す平面図。
【図３】本発明に係るリード線整列器具の第２の実施形態を示す組み立て斜視図。
【図４】本発明に係るリード線整列器具の第２の実施形態を示す平面図。
【図５】本発明に係るリード線整列器具の実施形態が用いられる装置のリード線部分を示す平面図。
【図６】本発明に係るリード線整列器具の実施形態が用いられる装置のリード線部分の要部を示す平面図。
【図７】本発明に係るリード線整列器具の第１の実施形態が用いられた状態のリード線部分の要部を示す平面図。
【図８】本発明に係るリード線整列器具の第２の実施形態が用いられた状態のリード線部分の要部を示す平面図。
【発明を実施するための形態】
【００１３】
以下添付図面を参照して本発明に係るリード線整列器具の実施形態を説明する。各図において同一の構成要素には、同一の符号を付して重複する説明を省略する。図１、図２には、本発明に係るリード線整列器具の第１の実施形態が示されている。このリード線整列器具は、ポリプロピレン等の樹脂により構成され、底側となる容器１０と蓋側となる容器１０により構成される筐体１を備える。底側となる容器１０と蓋側となる容器１０は、同一形状である。
【００１４】
容器１０は、楕円状の主面部１１の周縁一周に、内側に向いた壁部１２が設けられて構成されている。二つの容器１０の内側を向かい合わせにして横長状態で結合させたときに、図の縦方向に延びる三つの透通孔１３、１４、１５が生成されるように、壁部１２の一部が半円形に切欠された開口縁部１３ａ、１４ａ、１５ａが形成されている。開口縁部１３ａ、１４ａ、１５ａの間は、隣接するリード線が出口で少なくとも接触しない程度の距離を有し、この実施形態では１ｃｍ程度とされている。
【００１５】
開口縁部１３ａ、１４ａ、１５ａによって形成される孔口の径は、図５〜図７に描かれているリード線５０の径と概ね同じ寸法を有している。三つの透通孔１３、１４、１５それぞれの中央部の内壁には、孔の長手方向に概ね直交する方向に平らなリブ１３ｂ、１４ｂ、１５ｂが設けられている。二つの容器１０の内側を向かい合わせにして結合させたときに、対向する二つのリブ１３ｂ、１３ｂと、二つのリブ１４ｂ、１４ｂと、二つのリブ１５ｂ、１５ｂは、リード線５０の径と概ね同じ寸法の径を有する孔を生成する。以上の開口縁部１３ａ、１４ａ、１５ａと、リブ１３ｂ、１４ｂ、１５ｂは、リード線５０が透通孔１３、１４、１５内を移動する際に透通孔の一部において摩擦を与える摩擦付与手段を構成する。本実施形態では、三つの透通孔１３、１４、１５のそれぞれにリブ１３ｂ、１４ｂ、１５ｂを設けているが少なくとも１つ以上の透通孔にリブを設ければよい。また、透通孔１４に２つ以上のリブを設けてもよい。
【００１６】
また、中央の透通孔１４は、全体として幾度か屈曲しており、ここでは一度の屈曲により「く」の字に、或いはＶ字に屈曲して構成されている。この屈曲構成によって、リード線５０が透通孔１４内を移動する際に透通孔１４内の一部において摩擦を与えることになる。即ち、この屈曲構成は、摩擦付与手段を構成する。本屈曲構成は、一度の屈曲によりなるが、２つ以上の屈曲からなってもよい。また、透通孔１４の内壁には、透通孔１４側へ突出した半球形の突起１４Ｔが形成されている。この突起１４Ｔも、摩擦付与手段を構成する。
【００１７】
開口縁部１３ａと開口縁部１４ａの間の壁部１２における開口縁部１３ａに近い位置には、角穴１６が形成されている。開口縁部１５ａと開口縁部１４ａの間の壁部１２における開口縁部１５ａに近い位置には、角穴１７が形成されている。角穴１６と対向する壁部１２の内側の位置には、他方の容器１０の角穴１７に挿入されて係止するように外側に突出したストッパを有する爪片１８が設けられている。また、角穴１７と対向する壁部１２の内側の位置には、他方の容器１０の角穴１６に挿入されて係止するように外側に突出したストッパを有する爪片１９が設けられている。
【００１８】
角穴１６が形成されている側の壁部１２における内側であって、開口縁部１４ａに近接する位置には、他方の容器１０の壁部１２における内側に当接して外側へ付勢するための凸部を有する突片２１が設けられている。また、角穴１７が形成されている側の壁部１２における内側であって、開口縁部１４ａに近接する位置には、他方の容器１０の壁部１２における内側に当接して外側へ付勢するための凸部を有する突片２２が設けられている。
【００１９】
以上の通りに構成された図１の容器１０、１０について、一方を図１の状態から上下を逆さにして、三本のリード線５０を透通孔１３、１４、１５内に這わせて、壁部１２のほぼ全体を他方の方向へ押圧することにより、図７に示すような筐体１からなるリード線整列器具を得ることができる。
【００２０】
図３、図４には、本発明に係るリード線整列器具の第２の実施形態が示されている。このリード線整列器具も、ポリプロピレン等の樹脂により構成される。底側となる容器３０と蓋側となる容器３０により構成される筐体１Ａを備える。容器３０の外形は第１の実施形態における容器１０と同じである。
【００２１】
この容器３０は、楕円状の主面部３１の周縁一周に、内側に向いた壁部３２が設けられて構成されている。この容器３０では、容器３０が縦長にされた状態において、図の縦方向に延びる三つの透通孔３３、３４、３３が生成されるように、壁部３２の一部が半円形に切欠された開口縁部３３ａ、３４ａ、３３ａが形成されている。開口縁部３３ａ、３４ａ、３３ａの間は、リード線が出口で少なくとも接触しない程度の距離を有する。本実施形態では、透通孔３４は、リード線を挿入する孔として用いないため、二本のリード線について出口での距離は、接触を避けるには十分な距離となる。
【００２２】
開口縁部３３ａ、３４ａ、３３ａによって形成される孔口の径は、図５〜図７に描かれているリード線５０の径と概ね同じ寸法を有している。三つの透通孔３３、３４、３３それぞれの中央部の内壁には、孔の長手方向に概ね直交する方向に平らなリブ３３ｂ、３４ｂ、３３ｂが設けられている。二つの容器３０の内側を向かい合わせにして結合させたときに、対向する二つのリブ３３ｂ、３３ｂと、二つのリブ３４ｂ、３４ｂと、二つのリブ３３ｂ、３３ｂは、それぞれ開口縁部３３ａ、３４ａ、３３ａと同様にリード線５０の径と概ね同じ寸法の径を有する孔を生成する。以上の開口縁部３３ａ、３４ａ、３３ａと、リブ３３ｂ、３４ｂ、３３ｂは、リード線５０が透通孔３３、３４、３３内を移動する際に透通孔の一部に摩擦を与える摩擦付与手段を構成する。
【００２３】
透通孔３３、３４、３３を区分するための区分壁３４Ｗは、図４に示されている通りに透通孔３４の内壁部において真っ直ぐに形成されている。傾斜壁３３Ｗは、上下の開口縁部３３ａからリブ３３ｂへ向かって孔径を狭めて透通孔３３を屈曲させるように傾斜している。この傾斜壁３３Ｗは、リード線５０が移動する際に透通孔３３内の一部において摩擦を与えることになる。即ち、この構成は、摩擦付与手段を構成する。
【００２４】
更に、上側の開口縁部３３ａに近く、区分壁３４Ｗから傾斜壁３３Ｗが分岐する位置には、透通孔３３側へ突出した半球形の突起３３Ｔが形成されている。これら突起は、リード線５０が移動する際に透通孔３３内の一部において摩擦を与える摩擦付与手段を構成する。
【００２５】
内側から見た右上側の開口縁部３３ａとリブ３３ｂの間の壁部３２における右上側の開口縁部３３ａに近い位置には、角穴３６が形成されている。内側から見た右下側の開口縁部３３ａとリブ３３ｂの間の壁部３２における開口縁部３３ａに近い位置には、角穴３７が形成されている。角穴３６と対向する壁部３２の内側の位置には、他方の容器３０の角穴３６に挿入されて係止するように外側に突出したストッパを有する爪片３８が設けられている。また、角穴３７と対向する壁部３２の内側の位置には、他方の容器３０の角穴３７に挿入されて係止するように外側に突出したストッパを有する爪片３９が設けられている。
【００２６】
角穴３６が形成されている側の壁部３２に、他方の容器３０の壁部３２における内側に当接して外側へ付勢するための凸部を有する突片４１が設けられている。また、角穴３７が形成されている側の壁部３２に、他方の容器３０の壁部３２における内側に当接して外側へ付勢するための凸部を有する突片４２が設けられている。
【００２７】
以上の通りに構成された図１の容器３０、３０について、三本のリード線５０を透通孔３３、３３内に這わせて、壁部３２のほぼ全体を他方の方向へ押圧することにより、図８に示すような筐体１Ａからなるリード線整列器具を得ることができる。
【００２８】
以上のように構成されたリード線整列器具は、図５に示されるような電極カートリッジ６０の接続コネクタ側に接続された複数のリード線５０を整列させるときに好適である。電極カートリッジ６０の集中コネクタ６１は、入力箱に接続され、この入力箱が心電計に接続される。リード線５０の先端には、チップ端子５１が接続されており、チップ端子５１の先端は導電性のピン５２が突出している。
【００２９】
チップ端子５１のピン５２には、図６に示されるような吸着電極７０を取り付けることができる。吸着電極７０は、ゴム球７１と、図示しない電極部を備えるもので、ゴム球７１の先端側に開口した電極部が取り付けられたものである。電極部にはチップ端子５１のピン５２に結合することが可能なジャックが設けられ、このジャックによりピン５２と電極が電気的に接続される。
【００３０】
第１の実施形態に係る筐体１を備えるリード線整列器具は、例えば胸部に貼着する三つの吸着電極７０に接続されるリード線５０を図７に示すように透通孔に通して組み立てられる。この筐体１を備えるリード線整列器具から電極カートリッジ６０へ到るリード線５０は途中で絡み合うことない状態に張設される。
【００３１】
第２の実施形態に係る筐体１Ａを備えるリード線整列器具は、例えば胸部につける３つの吸着電極７０に接続されるリード線５０を図７に示すように透通孔に通して組み立てられる。この筐体１を備えるリード線整列器具から電極カートリッジ６０へ到るリード線５０は途中で絡み合うことない状態に張設される。
【００３２】
上記のように組み立て設定を行った後には、リード線整列器具がリード線５０に設けられているために、図５に示すように相互に絡み合って電極を生体に装着するまで時間を要するということを回避できる。リード線５０が相互に絡み合ったとしても、図７や図８に示すように、リード線整列器具を構成する筐体１、１Ａを掴んでリード線５０の長手方向に摺動させることにより、容易に絡み合いを解くことが可能である。
【００３３】
また、図７に示すように、リード線整列器具を構成する筐体１Ａから各吸着電極７０までの距離を所要に調整し、その位置において筐体１Ａを止どめることができ、夫々の吸着電極７０を生体の胸部における所定位置に貼着して心電図測定を行うことができる。ここで、リード線整列器具を構成する筐体１Ａから各吸着電極７０までの距離を所要に調整できることから、リード線５０の引き回しを適切に行うことができ、しかも隣接するリード線５０間の距離を確保できることからリード線５０間の干渉を防止することが可能である。
【００３４】
更に、リード線整列器具を構成する筐体１は、二つの容器１０、１０により構成され、筐体１Ａは、二つの容器３０、３０から構成され、組み立て及び分解が容易となっている。よって、必要に応じて所要の個数を取り付けることが可能であり、リード線５０の整列と適切な引き回しを行うことができ、医療現場において使い勝手が良好である。また、組み立て及び分解が容易であることからリード線５０の洗浄などの邪魔になることがなく、また、リード線整列器具自体の洗浄などを容易に行うことが可能である。
【符号の説明】
【００３５】
１、１Ａ  筐体
１０、３０  容器
１３、１４、１５  透通孔
１３ｂ、１４ｂ、１５ｂ  リブ
３３、３４  透通孔
３３Ｔ  突起
３３Ｗ  傾斜壁
３３ｂ、３４ｂ  リブ
５０  リード線
５１  チップ端子
５２  ピン
６０  電極カートリッジ
７０  吸着電極
７１  ゴム球
【図１】
0005837799.tif 000002
【図２】
0005837799.tif 000003
【図３】
0005837799.tif 000004
【図４】
0005837799.tif 000005
【図５】
0005837799.tif 000006
【図６】
0005837799.tif 000007
【図７】
0005837799.tif 000008
【図８】
0005837799.tif 000009